(57)【要約】本発明は、無線信号を対応する受信機に送信する送信機を有する無線通信装置を提供する。無線通信装置は、表示手段とコントローラを有し、表示手段は送信機の送信ＲＦ信号強度の状態を表示し、コントローラは送信パワー強度の状態を検出して表示手段に出力する。コントローラひゃ、パワー検出手段を含む。パワー検出手段は、送信機に接続され、送信機から対応する受信機に送信される無線信号の送信パワーレベルを検出する。
2005536156.tif 000002
【特許請求の範囲】
【請求項１】
無線信号を対応する受信機に送信する送信機を有する無線通信装置であって、
前記送信機によって生成される前記無線信号のＴＳＳＩ（送信信号強度表示）を表示する表示手段と、
前記ＴＳＳＩを検出し、前記表示手段に当該ＴＳＳＩを出力するコントローラであって、送信機に接続され、送信機から対応する受信機に送信される無線信号のＴＳＳ（送信信号強度）レベルを検出する送信パワー検出手段を含むコントローラと
を有する無線通信装置。
【請求項２】
前記送信パワー検出手段は、前記無線通信装置のアンテナに接続される低域通過フィルターと前記送信機のパワー増幅器との間に配置される導電線上のポイントに接続されるＴＳＳ（送信信号強度）検出器をさらに有し、前記送信機の前記無線信号の前記ＴＳＳレベルを検出する請求項１に記載の無線通信装置。
【請求項３】
前記ＴＳＳ検出器は、前記送信機の前記無線信号の前記ＴＳＳレベルを検出するダイオードに接続されたＲＣ発振回路をさらに有する請求項２に記載の無線通信装置。
【請求項４】
前記送信パワー検出手段は、前記送信機のパワー増幅器に接続され、前記送信機のＴＳＳ（送信信号強度）に対応する前記送信機の前記パワー増幅器のＤＣオフセットを検出するＴＳＳ検出器をさらに有する請求項１に記載の無線通信装置。
【請求項５】
前記ＴＳＳ検出器は、２つの端子を有する前記演算増幅器に接続された抵抗をさらに有し、当該抵抗は、前記パワー増幅器及び前記演算増幅器の一方の端子に接続された当該抵抗の一方の端子及び前記演算増幅器の他方の端子及び電圧源に接続される当該抵抗の他方の端子の２つの端子を有し、前記ＴＳＳ（送信信号強度）に対応する当該抵抗の前記２つの端子の間のＤＣ電圧差を求める請求項４に記載の無線通信装置。
【請求項６】
前記表示手段は、前記ＴＳＳレベルを表示する表示装置をさらに有する請求項１に記載の無線通信装置。
【請求項７】
前記表示手段は、前記ＴＳＳレベルを音又は声により示すスピーカーをさらに有する請求項１に記載の無線通信装置。
【請求項８】
前記表示手段は、前記ＴＳＳレベルを振動により示すバイブレーターをさらに有する請求項１に記載の無線通信装置。
【請求項９】
前記表示手段は、前記ＴＳＳレベルを匂いにより示す匂い発生装置をさらに有する請求項１に記載の無線通信装置。
【請求項１０】
ＲＦ信号を対応する受信機に送信する送信機を有するＰＣＤ（パーソナルコミュニケーションデバイス）であって、
前記送信機により生成された前記無線信号のＴＳＳＩ（送信信号強度表示）を表示する表示手段と、
前記送信機に接続されて、前記送信機から前記対応する受信機に送信される前記無線信号のＴＳＳ（送信信号強度）を検出する送信パワー検出手段と、
前記表示手段及び前記パワー検出手段に接続されて、前記パワー検出手段から前記ＴＳＳＩを受信し、当該ＴＳＳＩを前記表示手段に出力するコントローラと
を有するパーソナルコミュニケーションデバイス。
【請求項１１】
前記送信パワー検出手段は、前記パーソナルコミュニケーションデバイスのアンテナに接続された低域通過フィルターと前記送信機のパワー増幅器との間に配置される導電線上のポイントに接続されるＴＳＳ検出器をさらに有し、前記送信機の前記ＴＳＳレベルを検出し当該検出結果を前記コントローラに出力する請求項１０に記載のパーソナルコミュニケーションデバイス。
【請求項１２】
前記ＴＳＳ検出器は、前記送信機の前記無線信号の前記ＴＳＳレベルを検出するダイオードに接続されたＲＣ発振回路をさらに有する請求項１１に記載のパーソナルコミュニケーションデバイス。
【請求項１３】
前記送信パワー検出手段は、前記送信機のパワー増幅器に接続され、前記送信機のＴＳＳ（送信信号強度）に対応する前記送信機の前記パワー増幅器のＤＣオフセットを検出するＴＳＳ検出器をさらに有する請求項１０に記載のパーソナルコミュニケーションデバイス。
【請求項１４】
前記ＴＳＳ検出器は、２つの端子を有する前記演算増幅器に接続された抵抗をさらに有し、当該抵抗は、前記パワー増幅器及び前記演算増幅器の一方の端子に接続された当該抵抗の一方の端子及び前記演算増幅器の他方の端子及び電圧源に接続される当該抵抗の他方の端子の２つの端子を有し、前記ＴＳＳ（送信信号強度）に対応する当該抵抗の前記２つの端子の間のＤＣ電圧差を求める請求項１３に記載のパーソナルコミュニケーションデバイス。
【請求項１５】
前記表示手段は、前記ＴＳＳレベルを表示する表示装置をさらに有する請求項１０に記載のパーソナルコミュニケーションデバイス。
【請求項１６】
前記表示手段は、前記ＴＳＳレベルを音又は声により示すスピーカーをさらに有する請求項１０に記載のパーソナルコミュニケーションデバイス。
【請求項１７】
前記表示手段は、前記ＴＳＳレベルを振動により示すバイブレーターをさらに有する請求項１０に記載のパーソナルコミュニケーションデバイス。
【請求項１８】
前記表示手段は、前記ＴＳＳレベルを匂いにより示す匂い発生装置をさらに有する請求項１０に記載のパーソナルコミュニケーションデバイス。
【請求項１９】
パーソナルコミュニケーションデバイスのユーザーに高ＲＦ信号輻射を警告する方法であって、前記パーソナルコミュニケーションデバイスは、前記パーソナルコミュニケーションデバイスの送信機の送信ＲＦ信号パワー強度を表示する表示手段、及び、前記送信機の前記送信ＲＦ信号パワーを検出するパワー検出手段を有し、前記方法は、
（ａ）  前記送信ＲＦ信号パワー強度の警告レベルを予め設定し、
（ｂ）  前記パワー検出手段により前記ＴＳＳレベルを検出し、
（ｃ）  前記ＴＳＳレベルが警告レベルよりも大きければ、前記ステップ（ｄ）を実行し、そうでなければ前記ステップ（ｂ）を実行し、
（ｆ）  前記ＴＳＳレベルを前記表示手段に出力する
の各ステップを有するパーソナルコミュニケーションデバイスのユーザーに高ＲＦ信号輻射を警告する方法。
【発明の詳細な説明】
【技術分野】
【０００１】
この発明は、無線通信システムに関し、特に、無線通信端末の送信機のパワー強度レベルをインジケーターに出力して、該無線通信端末の送信ＲＦ信号パワー強度レベルを表示するＰＣＤ（パーソナルコミュニケーションデバイス）及びその表示方法に関する。
【背景技術】
【０００２】
ＡＭＰＳ、ＰＨＳ、ＮＡＤＣ、ＧＳＭ、ＤＣＳ、ＩＳ−９５、ＣＤＭＡ、ＷＣＤＭＡ、ＤＥＣＴ、ＷＬＡＮ（８０２．１１）、ＤＥＣＴ、ＣＴＯ、ＣＴＩなどは、いずれも業界で熟知される無線ネットワーク、及びＰＣＤ（パーソナルコミュニケーションデバイス）の標準である。パーソナルコミュニケーションデバイスには、携帯電話機、コードレス電話、ＰＤＡ（パーソナルディジタルアシスト）、walkie-talkie、スマートホーンなどが含まれる。すべてのパーソナルコミュニケーションデバイスはワイヤレス通信装置（無線通信デバイス）である。ＰＣＤ間のコミュニケーションリンクは無線周波数信号（ＲＦ信号）を送受信することによって構築される。無線周波数信号の周波数の範囲はＶＨＦからマイクロウエーブまで含まれる。通信の範囲を延長させるために、パーソナルコミュニケーションデバイスは２ワットのＲＦ信号を送信することができる。
【０００３】
携帯電話機のようなパーソナルコミュニケーションデバイスは、図１に開示するようにＲＦ（無線周波数）信号受信セクション１４と、ＲＦ信号送信セクション１８と、周波数シンセサイザー１４６、１４８と、ディジタル／制御セクション１５と、電池（図示しない）と、Ｉ／Ｏセクション（図示しない）等を含む。
【０００４】
図１に開示するパーソナルコミュニケーションデバイスの一例としては、前述する基準に適合する携帯電話機が挙げられる。携帯電話機１は、アンテナ１１と、低域通過フィルター１２と、受信機（Ｒｘ）１４と、低域通過フィルター１６と、送信機（Ｔｘ）１９と、ディジタル／制御装置１５とを含む。該受信機（Ｒｘ）１４は、パワー増幅器１４２と、ミキサー１４４と、周波数シンセサイザー１４６とを含む。同様に、送信機（Ｔｘ）１８は、パワー増幅器１８２と、ミキサー１８４と、周波数シンセサイザー１８６と、モジュレーター１８８とを含む。
【０００５】
携帯電話機を使用する場合、通常ユーザーは携帯電話機を彼らの頭に非常に近い位置に持って話を行い聞く。携帯電話は、ＲＦ（無線周波数）信号を空中に発射し基地局への通信リンクを構築する、但し、送信されるＲＦ信号は、空中に発射されるのみならず、ユーザーの頭部にも発射されて通過する。少なからぬ研究論文が、長期にわたりＲＦ信号の放射にさらされることが、身体組織の損傷を招く恐れがあることをと発表している。Ｍ.Ｄ.Ｔaurissano などにより提出され、「Measurements of Thermal Effects on a Human Head Exposed to 900MHz」というタイトルで、ＩＥＥＥ  ＭＴＴシンポジウム２０００で発表されたＩＥＥＥ論文は、手持ち型のモバイル通信装置から放射される電磁波によって受ける熱効果に係る実験結果を公開している。
【０００６】
今日、例えば携帯電話機、コードレス電話などのパーソナルコミュニケーションデバイスは、ユーザーに対して、例えばＲＳＳＩ（受信信号強度の度数表示）（例えば、アメリカ合衆国特許第６，３５６，７４５号に開示されるＲＳＳＩ）、電池の容量不足信号、及び電池の充電状態表示などのような何らかのインフォメーションを提供することができるようになっているが、ＴＳＳＩ（送信信号強度の度数に関する表示）(または、送信パワー表示)をユーザーに提供し、ユーザーの携帯電話が高送信パワー状態になった場合に警告を提起するものはない。
【０００７】
携帯電話機のＴＳＳ（送信信号強度：transmitted  signal  strength）は必ずしも一定したものではなく、発射する無線周波数パワーは特定の規制と基地局の指令の制限を受ける。これは、どれだけの強度のＲＦ信号パワーを発射できるかを基地局が携帯電話機に伝えることを意味する。
【０００８】
基地局の指令は、例えば携帯電話機と基地局の間の距離、周囲の建築物及び地形などの通信環境の条件に依存する。携帯電話機のユーザーは携帯電話機のＴＳＳ（送信信号強度）がどの程度であるか知ることができない。
【０００９】
研究報告が、長期にわたってＲＦ信号に晒されることは人体組織の損傷を招く恐れがあることを示していることが理由である。従って、従来、パーソナルコミュニケーションデバイスのユーザーに送信信号強度（ＴＳＳ：Ｔransmitted Ｓignal Ｓtrength）の度数がどれくらいかを提示するパーソナルコミュニケーションデバイスの要求がある。これによってＰＣＤユーザーは、そのようなＴＳＳ情報から、適宜な行動を採って人体組織への損傷を低減させることができる。
【発明の開示】
【００１０】
この発明の目的は、送信ＲＦ信号の強度、ユーザーがプラグラム可能な音声、振動、もしくは音声による警告信号、及び、ユーザーがプログラム可能なＰＣＤがＰＣＤユーザーにアラーム情報を提示する時る。係る情報によってＰＣＤユーザーは、パーソナルコミュニケーションデバイスの位置を調整するか通信する地点を変更してパーソナルコミュニケーションデバイスの送信ＲＦ信号パワーを低減させるか、もしくは通話時間を短縮して、ＲＦ信号放射に晒される時間を短縮することができる。
【００１１】
言い換えれば、本発明のパーソナルコミュニケーションデバイスは、ＴＳＳＩ（transmitted RF power strength indication：送信ＲＦ信号パワー強度表示）と警告システムをＰＣＤユーザーに提供するものである。係る情報によってＰＣＤユーザーは、パーソナルコミュニケーションデバイスの位置を調整するか通信する地点を変更してパーソナルコミュニケーションデバイスのＲＦ信号発射パワーを低減させるか、もしくは通話時間を短縮して、ＲＦ信号放射に晒される時間を短縮することができる。
【発明を実施するための最良の形態】
【００１２】
【実施例１】
【００１３】
図２に、この発明による送信ＲＦ信号パワー強度表示回路を具えたパーソナルコミュニケーションデバイスの第一の実施例のブロック図を開示する。送信セクション２８は、一般的に図２に開示するように、モジュレーター（もしくはモジュレーター）２８８と、パワー増幅器２８２と、送信ＲＦ信号パワー検出装置２６とを含む。送信するベースバンド信号ＢＢＳは変調セクション２８８内で変調され、変調セクションの出力信号ＭＢＢＳは、更に処理が加えられてパワー増幅器２８２に伝送するか、もしくは直接パワー増幅器２８２に伝送する。パワー増幅器２８２から出力される信号は、フィルター２２に伝送され、ＲＦスイッチそしてアンテナ２１へと伝送され、そして送信信号が発射される。送信ＲＦ信号パワー検出装置（もしくは送信信号強度検出器と称する）がＴＳＳ（送信信号強度）を検出する。
【００１４】
言いかえれば、この発明によるパーソナルコミュニケーションデバイス２はＲＦ送信機（ＴＸ）２８と、ＴＳＳ検出器２６と、ディジタル／制御装置２５と、インジケーター２９と、及び電池（図示しない）などを有し、ＲＦ送信機（ＴＸ）２８は、ＰＳ（パワー増幅器）２８２と、ミキサー２８４と、モジュレーター２８８と、周波数シンセサイザー２８６（もしくはローカルオシレーターと称する）を含む。
【００１５】
ベースバンド信号ＢＢＳを送信しようとする場合、まず、ベースバンド信号ＢＢＳがモジュレーター２８８に伝送され、ＢＢＳを変調した信号ＭＢＢＳを生成する。ミキサー２８４は、ＢＢＳを変調した信号ＭＢＢＳを受信し、且つ周波数シンセサイザー２８６からキャリア信号ＣＳを受信し、そして両者の信号多重化を実行してセミトランスミッション信号（semi-transmission signal）ＳＴＳを生成する。セミトランスミッション信号ＳＴＳは、さらにパワー増幅器２８２で増幅され、低域通過フィルター２２により濾波され、そして、送信信号ＴＳが、アンテナ２１により送信される。
【００１６】
この発明において、ＴＳＳ検出器２６は低域通過フィルター２２とパワー増幅器２８２との間に配置されるポイントａに接続される。送信信号ＴＳがアンテナ２１から送信される時、ＴＳＳ検出器２６は、パワー増幅器から送信ＲＦ信号パワーを測定してＴＳＳレベル信号を生成し、そのＴＳＳレベル信号を制御装置２５に送信する。最終的に、制御装置は、インジケーター（もしくは表示手段と称する）２９にＴＳＳレベル情報を出力し、パーソナルコミュニケーションデバイス２の送信ＲＦ信号パワー強度を表示する。
【００１７】
本来は、ＴＳＳ検出器が検出するのは電圧信号ＴＳＳ１であり、我々は、図４に示すような送信電圧と送信ＲＦ信号パワーとの関係の関数によって送信パワー値を得ることができる。即ち、次式によってＴＳＳ値をｄＢｍ値に変換することができる。
【００１８】
パワーｄＢｍ＝１０ｌｏｇ［送信パワー÷１ｍＷａｔｔ］    式（１）
【００１９】
換言すれば、本発明は、表示手段と制御装置を有する対応する受信機に無線信号を発する送信機を有する無線通信デバイスを提供し、その表示手段は、送信機の送信ＲＦ信号パワー強度の状態（もしくはＴＳＳＩ（送信信号強度表示）と称する）を表示し、その制御装置は、送信パワー強度の状態を検出し表示手段に出力し、その制御装置はパワー検出手段を有し、さらにそのパワー検出手段は、送信機に接続して、送信機から対応する受信機に発せられる無線信号のＴＳＳ（送信信号強度）レベルを検出する。
【００２０】
そのパワー検出手段は、さらに、無線通信デバイスのアンテナに接続された低域通過フィルターと送信機のパワー増幅器の間に配置された導電線上のポイントに接続され、送信機の無線信号のＴＳＳレベルを検出し、その検出結果を制御部に出力するＴＳＳ検出器を有する。
【００２１】
そのＴＳＳ検出器は、さらに、ダイオードに接続されて送信機の無線信号のＴＳＳレベルを検出するＲＣ発振回路を有する。
【００２２】
その表示手段は、ＴＳＳレベルを表示するディスプレイか、音または声でＴＳＳレベルを示すスピーカーか、振動によってＴＳＳレベルを示すバイブレーターか、もしくは匂いによってＴＳＳレベルを示す匂い発生装置であってもよい。
【実施例２】
【００２３】
図３は、この発明による送信ＲＦ信号パワー強度表示回路を具えたパーソナルコミュニケーションデバイスの第二の実施例に係るブロック図である。送信信号強度ＴＳＳは、ＰＡ（パワー増幅器３８２）のＤＣ電流消費を検出することにより、もしくは、図３に示すようにＲＦ信号のパワーを直接検出することによっても得られる。
【００２４】
送信セクション３８は、一般的には図３に示すようにも知られており、モジュレーター（もしくはモジュレーターと称する）３８８と、パワー増幅器３８２と、送信ＲＦ信号パワー検出装置３６とを含む。送信されるベースバンド信号ＢＢＳは変調セクション３８８で変調され、変調セクションの出力信号ＭＢＢＳは、更に処理されてパワー増幅器３８２に伝送されるか、もしくは直接パワー増幅器３８２に伝送される。パワー増幅器から出力する信号は、フィルター３２、ＲＦスイッチ、アンテナ３１と伝送され、そして送信信号が発射される。送信ＲＦ信号パワー検出器（もしくは送信信号強度検出器と称する）は、ＴＳＳ（送信信号強度）レベルを検出するために用いられる。
【００２５】
送信信号強度が検出されると、検出結果ＴＳＳ２がコントローラ３５に伝送され、コントローラ３５はＴＳＳの状態をＬＣＤか、もしくはＬＥＤで表示し、また、音、振動、発光、もしくは声などの形態にユーザーがプログラム化可能な警告信号をパーソナルコミュニケーションデバイスのユーザーに発する。パーソナルコミュニケーションデバイスがいつ警告信号を発するかということも、ユーザーがプログラム化可能である。
【００２６】
ＴＳＳ状態に係る情報によって、パーソナルコミュニケーションデバイスのユーザーは、パーソナルコミュニケーションデバイスの位置を調整するか、通信を行う場所を変更して、人体組織が吸収するパーソナルコミュニケーションデバイスの輻射ＲＦ信号パワーを低減させることができ、また通話時間を短縮してＲＦ信号輻射にさらされる時間を減少させることができる。
【００２７】
第二の実施例は、ＴＳＳ検出装置３６を除き第一の実施例と同様である。
無線周波数送信パワー検出装置３６は、パワー増幅器３８２に接続し、送信機３８のパワー増幅器３８２の直流オフセットを検出し、検出した結果をコントローラ３５に出力する。
【００２８】
そのＴＳＳ検出器は、さらに、１つの端子がパワー増幅器３８２に接続された抵抗ＲＬ  と、２つの入力端子が抵抗ＲＬ  の２つの端子に各々接続され抵抗の２つの端子の間のＤＣ電圧の差を求める演算増幅器３６２とを有する。ＴＳＳ検出器３６がｂ点で検出したものは、パワー増幅器３８２からの電流信号ＩＣ  により変換された圧信号である。電流ＩＣ  と送信パワー消費との間には関係があるので、送信信号パワー強度を知ることができる。
【００２９】
換言すれば、本発明は、表示手段と制御装置を有する対応する受信機に無線信号を発する送信機を有する無線通信デバイスを提供し、その表示手段は、送信機の送信ＲＦ信号パワー強度の状態（もしくはＴＳＳＩ（送信信号強度表示）と称する）を表示し、その制御装置は、送信パワー強度の状態を検出し表示手段に出力し、その制御装置はパワー検出手段を有し、さらにそのパワー検出手段は、送信機に接続して、送信機から対応する受信機に発せられる無線信号のＴＳＳ（送信信号強度）レベルを検出する。
【００３０】
そのパワー検出手段は、さらに、送信機のパワー増幅器に接続され、送信機のＴＳＳ（送信信号強度）に相当する送信機のパワー増幅器のＤＣオフセットを検出するＴＳＳ検出器を有する。
【００３１】
本発明の第２の実施例においては、ＴＳＳ検出器は、２つの端子を有する演算増幅器に接続される抵抗であって、２つの端子を有し、一方の端子はパワー増幅器と演算増幅器の一方の端子とに接続し、他方の端子は演算増幅器の他方の端子とＴＳＳ（送信信号強度）に相当する抵抗の両端子の間のＤＣ電圧差を求める電圧源とに接続された抵抗をさらに有する。
【００３２】
その表示手段は、ＴＳＳレベルを表示するディスプレイか、音または声でＴＳＳレベルを示すスピーカーか、振動によってＴＳＳレベルを示すバイブレーターか、もしくは匂いによってＴＳＳレベルを示す匂い発生装置であってもよい。
【実施例３】
【００３３】
図６は、この発明の第三の実施例における送信ＲＦ信号パワー強度を表示する動作のフローチャートである。これは、送信機の送信ＲＦ信号パワー強度の状態を表示し、ＰＣＤユーザーに高いＲＦ信号放射を警告する方法を提供する。この方法は、以下のステップを含んでなる。
【００３４】
（ｂ）  ステップ６０２に開示するように、送信ＲＦ信号パワー強度の警告レベルをプリセットする。例えば、ｄＢｍを単位として、一般的に、ＧＳＭタイプの送信機は−５〜３３ｄＢｍのパワーの範囲でＲＦ信号輻射を発する。図５は、本発明の第３の実施例の送信ＲＦ信号パワー強度の警告レベルの設定のグラフである。この実施例において、プリセット警告レベルとして、１０ｄＢｍをセットする。
（ｃ）  ステップ６０４に開示するように、ＴＳＳレベルを検出する。
（ｄ）  ステップ６０６に開示するように、ＴＳＳレベルが警告レベルよりも大きければ（ｄ）のステップを実行し、さもなければ（ｂ）のステップに戻る。
（ｅ）  ステップ６０８に開示するように、ＴＳＳレベルを表示器に出力する。
【００３５】
この発明は携帯電話機のみに適用されるものではなく、その他パーソナルコミュニケーションデバイスにおいてもＴＳＳを表示するために使用されてもよい。
【００３６】
以上はこの発明の好ましい実施例であって、この発明の実施の範囲を限定するものではない。それどころか、技術的に同様の技術を用いていることが明らかであるような修正や改変をも含むイとである。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３７】
【図１】従来の技術によるパーソナルコミュニケーションデバイスの構造を示したブロック図である。
【図２】本発明の第１の実施例の送信ＲＦ信号パワー強度表示回路を具えたパーソナルコミュニケーションデバイスの構造を示したブロック図である。
【図３】本発明の第２の実施例による通信ＲＦ信号パワー強度表示回路を具えたパーソナルコミュニケーションデバイスの構造を示したブロック図である。
【図４】ＴＳＳレベルと送信ＲＦ信号パワー強度との間の関係を示すグラフである。
【図５】本発明の第３の実施例の送信ＲＦ信号パワー強度の警告レベルの設定を示すグラフである。
【図６】本発明の第３の実施例の送信ＲＦ信号パワー強度の表示の動作を示したフローチャートである。
【図１】
2005536156.tif 000003
【図２】
2005536156.tif 000004
【図３】
2005536156.tif 000005
【図４】
2005536156.tif 000006
【図５】
2005536156.tif 000007
【図６】
2005536156.tif 000008
【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
無線信号を対応する受信機に送信する送信機と、
前記送信機に接続され、前記送信機から送信される前記無線信号の送信信号強度（ＴＳＳ）を検出する送信パワー検出器と、
前記ＴＳＳによる送信信号強度表示（ＴＳＳＩ）を表示する表示器と
を有する無線通信装置。
【請求項２】
前記送信パワー検出器は、前記無線通信装置のアンテナに接続される低域通過フィルタと前記送信機のパワー増幅器との間に配置される導電線上のポイントに接続され、前記送信機の前記無線信号の前記ＴＳＳレベルを検出する請求項１に記載の無線通信装置。
【請求項３】
前記送信パワー検出器は、前記送信機の前記無線信号の前記ＴＳＳを検出するダイオードに接続されたＲＣ発振回路をさらに有する請求項２に記載の無線通信装置。
【請求項４】
前記送信パワー検出器は、前記送信機のパワー増幅器に接続され、前記ＴＳＳ（送信信号強度）を求めるための前記パワー増幅器のＤＣオフセットを検出する請求項１に記載の無線通信装置。
【請求項５】
前記送信パワー検出器は、電圧源と前記パワー増幅器との間に接続された抵抗と、各々が前記抵抗の両端に接続されている２つの端子を具備する演算増幅器とをさらに有する請求項４に記載の無線通信装置。
【請求項６】
前記表示器は、前記ＴＳＳを表示する表示装置をさらに有する請求項１に記載の無線通信装置。
【請求項７】
前記表示器は、前記ＴＳＳを音又は声により示すスピーカーをさらに有する請求項１に記載の無線通信装置。
【請求項８】
前記表示器は、前記ＴＳＳを振動により示すバイブレーターをさらに有する請求項１に記載の無線通信装置。
【請求項９】
前記表示器は、前記ＴＳＳを匂いにより示す匂い発生装置をさらに有する請求項１に記載の無線通信装置。
【請求項１０】
ＲＦ信号を対応する受信機に送信する送信機を有するＰＣＤ（パーソナルコミュニケーションデバイス）であって、
前記送信機に接続されて、前記送信機から送信される前記ＲＦ信号のＴＳＳ（送信信号強度）を検出する送信パワー検出器と、
前記パワー検出器により検出された前記ＴＳＳによるＴＳＳＩ（送信信号強度表示）を出力するコントローラと、
前記コントローラにより制御され、前記ＴＳＳＩをユーザーの前記パーソナルコミュニケーションデバイスに表示する表示器と
を有するパーソナルコミュニケーションデバイス。
【請求項１１】
前記送信パワー検出器は、前記パーソナルコミュニケーションデバイスのアンテナに接続された低域通過フィルタと前記送信機のパワー増幅器との間に配置される導電線上のポイントに接続され、前記送信機の前記ＴＳＳレベルを検出し当該検出結果を前記コントローラに出力する請求項１０に記載のパーソナルコミュニケーションデバイス。
【請求項１２】
前記送信パワー検出器は、前記送信機の前記ＴＳＳレベルを検出するダイオードに接続されたＲＣ発振回路をさらに有する請求項１１に記載のパーソナルコミュニケーションデバイス。
【請求項１３】
前記送信パワー検出器は、前記送信機のパワー増幅器に接続され、前記送信機の前記パワー増幅器のＤＣオフセットを検出する請求項１０に記載のパーソナルコミュニケーションデバイス。
【請求項１４】
前記送信パワー検出器は、電圧源と前記パワー増幅器との間に接続された抵抗と、各々が前記抵抗の両端に接続されている２つの端子を具備する演算増幅器とをさらに有する請求項１３に記載のパーソナルコミュニケーションデバイス。
【請求項１５】
前記表示器は、前記ＴＳＳを表示する表示装置をさらに有する請求項１０に記載のパーソナルコミュニケーションデバイス。
【請求項１６】
前記表示器は、前記ＴＳＳを音又は声により示すスピーカーをさらに有する請求項１０に記載のパーソナルコミュニケーションデバイス。
【請求項１７】
前記表示器は、前記ＴＳＳを振動により示すバイブレーターをさらに有する請求項１０に記載のパーソナルコミュニケーションデバイス。
【請求項１８】
前記表示器は、前記ＴＳＳを匂いにより示す匂い発生装置をさらに有する請求項１０に記載のパーソナルコミュニケーションデバイス。
【請求項１９】
パーソナルコミュニケーションデバイスのユーザーに高ＲＦ信号輻射を警告する方法であって、前記パーソナルコミュニケーションデバイスは、前記パーソナルコミュニケーションデバイスのＲＦ送信機のＴＳＳ（送信信号強度）を検出するパワー検出器、及び、対応してＴＳＳＩ（送信信号強度表示）を表示する表示器を有し、前記方法は、
（ａ）  前記ＲＦ送信機の送信ＲＦ信号パワー強度の警告レベルを予め設定し、
（ｂ）  前記パワー検出器により前記ＴＳＳを検出し、
（ｃ）  前記ＴＳＳが警告レベルよりも大きければ、前記ＴＳＳＩを前記表示器に出力する
の各ステップを有するパーソナルコミュニケーションデバイスのユーザーに高ＲＦ信号輻射を警告する方法。
【手続補正２】
【補正対象書類名】明細書
【補正対象項目名】全文
【補正方法】変更
【補正の内容】
【書類名】        明細書
【技術分野】
【０００１】
この発明は、無線通信システムに関し、特に、無線通信端末の送信機のパワー強度レベルをインジケーターに出力して、該無線通信端末の送信ＲＦ信号パワー強度レベルを表示するＰＣＤ（パーソナルコミュニケーションデバイス）及びその表示方法に関する。
【背景技術】
【０００２】
ＡＭＰＳ、ＰＨＳ、ＮＡＤＣ、ＧＳＭ、ＤＣＳ、ＩＳ−９５、ＣＤＭＡ、ＷＣＤＭＡ、ＤＥＣＴ、ＷＬＡＮ（８０２．１１）、ＤＥＣＴ、ＣＴＯ、ＣＴＩなどは、いずれも業界で熟知される無線ネットワーク、及びＰＣＤ（パーソナルコミュニケーションデバイス）の標準である。パーソナルコミュニケーションデバイスには、携帯電話機、コードレス電話、ＰＤＡ（パーソナルディジタルアシスト）、walkie-talkie、スマートホーンなどが含まれる。すべてのパーソナルコミュニケーションデバイスはワイヤレス通信装置（無線通信デバイス）である。ＰＣＤ間のコミュニケーションリンクは無線周波数信号（ＲＦ信号）を送受信することによって構築される。無線周波数信号の周波数の範囲はＶＨＦからマイクロウエーブまで含まれる。通信の範囲を延長させるために、パーソナルコミュニケーションデバイスは２ワットのＲＦ信号を送信することができる。
【０００３】
携帯電話機のようなパーソナルコミュニケーションデバイスは、図１に開示するようにＲＦ（無線周波数）信号受信セクション１４と、ＲＦ信号送信セクション１８と、周波数シンセサイザー１４６、１４８と、ディジタル／制御セクション１５と、電池（図示しない）と、Ｉ／Ｏセクション（図示しない）等を含む。
【０００４】
図１に開示するパーソナルコミュニケーションデバイスの一例としては、前述する基準に適合する携帯電話機が挙げられる。携帯電話機１は、アンテナ１１と、低域通過フィルター１２と、受信機（Ｒｘ）１４と、低域通過フィルター１６と、送信機（Ｔｘ）１９と、ディジタル／制御装置１５とを含む。該受信機（Ｒｘ）１４は、パワー増幅器１４２と、ミキサー１４４と、周波数シンセサイザー１４６とを含む。同様に、送信機（Ｔｘ）１８は、パワー増幅器１８２と、ミキサー１８４と、周波数シンセサイザー１８６と、モジュレーター１８８とを含む。
【０００５】
携帯電話機を使用する場合、通常ユーザーは携帯電話機を彼らの頭に非常に近い位置に持って話を行い聞く。各携帯電話は、ＲＦ（無線周波数）信号を空中に発射し基地局と通信リンクを構築する、但し、送信されるＲＦ信号は、空中のみならずユーザーの頭部にも発射される。少なからぬ研究論文が、長期にわたりＲＦ信号の放射にさらされることが、身体組織の損傷を招く恐れがあることをと発表している。Ｍ.Ｄ.Ｔaurissano などにより提出され、「Measurements of Thermal Effects on a Human Head Exposed to 900MHz」というタイトルで、ＩＥＥＥ  ＭＴＴシンポジウム２０００で発表されたＩＥＥＥ論文は、手持ち型のモバイル通信装置から放射される電磁波によって受ける熱効果に係る実験結果を公開している。
【０００６】
今日、例えば携帯電話機、コードレス電話などのパーソナルコミュニケーションデバイスは、ユーザーに対して、例えばＲＳＳＩ（受信信号強度の度数表示）（例えば、アメリカ合衆国特許第６，３５６，７４５号に開示されるＲＳＳＩ）、電池の容量不足信号、及び電池の充電状態表示などのような何らかのインフォメーションを提供することができるようになっているが、ＴＳＳＩ（送信信号強度の度数に関する表示）(または、送信パワー表示)をユーザーに提供し、ユーザーの携帯電話が高送信パワー状態になった場合に警告を提起するものはない。
【０００７】
携帯電話機のＴＳＳ（送信信号強度：transmitted  signal  strength）は必ずしも一定したものではなく、発射する無線周波数パワーは特定の規制と基地局の指令の制限を受ける。これは、どれだけの強度のＲＦ信号パワーを発射できるかを基地局が携帯電話機に伝えることを意味する。
【０００８】
基地局の指令は、例えば携帯電話機と基地局の間の距離、周囲の建築物及び地形などの通信環境の条件に依存する。携帯電話機のユーザーは携帯電話機のＴＳＳ（送信信号強度）がどの程度であるか知ることができない。
【０００９】
研究報告が、長期にわたってＲＦ信号に晒されることが人体組織の損傷を招く恐れがあることを示しているので、従来、パーソナルコミュニケーションデバイスのユーザーに送信信号強度（ＴＳＳ：Ｔransmitted Ｓignal Ｓtrength）の度数がどれくらいかを提示するパーソナルコミュニケーションデバイスの要求がある。これによってＰＣＤユーザーは、そのようなＴＳＳ情報から、適宜な行動を採って人体組織への損傷を低減させることができる。
【００１０】
この発明は、ユーザーに対して、送信する送信ＲＦ信号強度のステータスを表示する送信ＲＦ信号強度表示器を具えたパーソナルコミュニケーションデバイス及びその警告システムを提供することを課題とする。
すなわち、送信ＲＦ信号の強度を、ユーザーがプラグラム可能な音声、振動、もしくは音声による警告信号により、ＰＣＤがＰＣＤユーザーにアラーム情報を提示する時もユーザーがプログラム可能な状態で、提示することにある。係る情報によってＰＣＤユーザーは、パーソナルコミュニケーションデバイスの位置を調整するか通信する地点を変更してパーソナルコミュニケーションデバイスの送信ＲＦ信号パワーを低減させるか、もしくは通話時間を短縮して、ＲＦ信号放射に晒される時間を短縮することができる。
【００１１】
言い換えれば、本発明のパーソナルコミュニケーションデバイスは、ＴＳＳＩ（transmitted RF power strength indication：送信ＲＦ信号パワー強度表示）と警告システムをＰＣＤユーザーに提供するものである。係る情報によってＰＣＤユーザーは、パーソナルコミュニケーションデバイスの位置を調整するか通信する地点を変更してパーソナルコミュニケーションデバイスのＲＦ信号発射パワーを低減させるか、もしくは通話時間を短縮して、ＲＦ信号放射に晒される時間を短縮することができる。
【課題を解決するための手段】
本発明の請求項１に記載する送信ＲＦ信号強度表示器を具えたパーソナルコミュニケーションデバイスは、無線信号を対応する受信機に送信する送信機と、前記送信機に接続され、前記送信機から送信される前記無線信号の送信信号強度（ＴＳＳ）を検出する送信パワー検出器と、前記ＴＳＳによる送信信号強度表示（ＴＳＳＩ）を表示する表示器とを有する無線通信装置である。
請求項２に記載する送信ＲＦ信号強度表示器を具えたパーソナルコミュニケーションデバイスは、請求項１に示す送信パワー検出器が、前記無線通信装置のアンテナに接続される低域通過フィルタと前記送信機のパワー増幅器との間に配置される導電線上のポイントに接続され、前記送信機の前記無線信号の前記ＴＳＳレベルを検出する。
請求項３に記載する送信ＲＦ信号強度表示器を具えたパーソナルコミュニケーションデバイスは、請求項２に示す前記送信パワー検出器が、前記送信機の前記無線信号の前記ＴＳＳを検出するダイオードに接続されたＲＣ発振回路をさらに有する。
請求項４に記載する送信ＲＦ信号強度表示器を具えたパーソナルコミュニケーションデバイスは、請求項１に示す送信パワー検出器が、前記送信機のパワー増幅器に接続され、前記ＴＳＳ（送信信号強度）を求めるための前記パワー増幅器のＤＣオフセットを検出する。
請求項５に記載する送信ＲＦ信号強度表示器を具えたパーソナルコミュニケーションデバイスは、請求項４に示す送信パワー検出器が、電圧源と前記パワー増幅器との間に接続された抵抗と、各々が前記抵抗の両端に接続されている２つの端子を具備する演算増幅器とをさらに有する。
請求項６に記載する送信ＲＦ信号強度表示器を具えたパーソナルコミュニケーションデバイスは、請求項１に示す表示器が、前記ＴＳＳを表示する表示装置をさらに有する。
請求項７に記載する送信ＲＦ信号強度表示器を具えたパーソナルコミュニケーションデバイスは、請求項１に示す表示器が、前記ＴＳＳを音又は声により示すスピーカーをさらに有する。
請求項８に記載する送信ＲＦ信号強度表示器を具えたパーソナルコミュニケーションデバイスは、請求項１に示す表示器が、前記ＴＳＳを振動により示すバイブレーターをさらに有する。
請求項９に記載する送信ＲＦ信号強度表示器を具えたパーソナルコミュニケーションデバイスは、請求項１に示す表示器が、前記ＴＳＳを匂いにより示す匂い発生装置をさらに有する。
請求項１０に示すＲＦ信号を対応する受信機に送信する送信機を有するＰＣＤ（パーソナルコミュニケーションデバイス）は、前記送信機に接続されて、前記送信機から送信される前記ＲＦ信号のＴＳＳ（送信信号強度）を検出する送信パワー検出器と、前記パワー検出器により検出された前記ＴＳＳによるＴＳＳＩ（送信信号強度表示）を出力するコントローラと、前記コントローラにより制御され、前記ＴＳＳＩをユーザーの前記パーソナルコミュニケーションデバイスに表示する表示器とを有する。
請求項１１に示すパーソナルコミュニケーションデバイスは、請求項１０に示す送信パワー検出器が、前記パーソナルコミュニケーションデバイスのアンテナに接続された低域通過フィルタと前記送信機のパワー増幅器との間に配置される導電線上のポイントに接続され、前記送信機の前記ＴＳＳレベルを検出し当該検出結果を前記コントローラに出力する。
請求項１２に示すパーソナルコミュニケーションデバイスは、請求項１１に示す送信パワー検出器が、前記送信機の前記ＴＳＳレベルを検出するダイオードに接続されたＲＣ発振回路をさらに有する。
請求項１３に示すパーソナルコミュニケーションデバイスは、請求項１０に示す送信パワー検出器が、前記送信機のパワー増幅器に接続され、前記送信機の前記パワー増幅器のＤＣオフセットを検出する。
請求項１４に示すパーソナルコミュニケーションデバイスは、請求項１３に示す送信パワー検出器が、電圧源と前記パワー増幅器との間に接続された抵抗と、各々が前記抵抗の両端に接続されている２つの端子を具備する演算増幅器とをさらに有する。
請求項１５に示すパーソナルコミュニケーションデバイスは、請求項１０に示す表示器が、前記ＴＳＳを表示する表示装置をさらに有する。
請求項１６に示すパーソナルコミュニケーションデバイスは、請求項１０に示す表示器が、前記ＴＳＳを音又は声により示すスピーカーをさらに有する。
請求項１７に示すパーソナルコミュニケーションデバイスは、請求項１０に示す表示器が、前記ＴＳＳを振動により示すバイブレーターをさらに有する。
請求項１８に示すパーソナルコミュニケーションデバイスは、請求項１０に示す表示器は、前記ＴＳＳを匂いにより示す匂い発生装置をさらに有する。
請求項１９に示すパーソナルコミュニケーションデバイスのユーザーに高ＲＦ信号輻射を警告する方法は、パーソナルコミュニケーションデバイスが、前記パーソナルコミュニケーションデバイスのＲＦ送信機のＴＳＳ（送信信号強度）を検出するパワー検出器、及び、対応してＴＳＳＩ（送信信号強度表示）を表示する表示器を有し、前記方法は、（ａ）  前記ＲＦ送信機の送信ＲＦ信号パワー強度の警告レベルを予め設定し、（ｂ）  前記パワー検出器により前記ＴＳＳを検出し、（ｃ）  前記ＴＳＳが警告レベルよりも大きければ、前記ＴＳＳＩを前記表示器に出力する、の各ステップを有する。
【発明の効果】
本発明の送信ＲＦ信号強度表示器を具えたパーソナルコミュニケーションデバイス、及びその警告システムは、送信する送信ＲＦ信号強度のステータスをユーザーに提供することができ、係る情報によって該パーソナルコミュニケーションデバイスのユーザーはパーソナルコミュニケーションデバイスの位置を調整するか、もしくは通信する場所を変更して、パーソナルコミュニケーションデバイスのＲＦ信号送信パワーを低下させるか、通話時間を短縮してＲＦ信号の輻射に晒される時間を減少させることができる。よって、ユーザーをＲＦ信号の輻射から保護するという利点がある。
【００１２】
この発明は、ユーザーに対して、送信する送信ＲＦ信号強度のステータスを表示する送信ＲＦ信号強度表示器を具えたパーソナルコミュニケーションデバイス及びその警告システムを提供するものであって、無線信号を送信して受信機と通信する送信機と、該送信機にカップリングし、該送信機から送信する無線信号の送信信号強度を検出する送信信号強度検出器と、送信信号強度に対応する送信信号強度の度数に関する表示を行う表示器とを含み構成される。 
係るパーソナルコミュニケーションデバイス及びその警告システムについて、その構造と特徴を詳述するために具体的な実施例を挙げ、以下に説明する。
【００１３】
図２に、この発明による送信ＲＦ信号パワー強度表示回路を具えたパーソナルコミュニケーションデバイスの第一の実施例のブロック図を開示する。送信セクション２８は、一般的に図２に開示するように、モジュレーター２８８と、パワー増幅器２８２と、送信ＲＦ信号パワー検出装置２６とを一般的に含む。送信するベースバンド信号ＢＢＳは変調セクション２８８内で変調され、変調セクションの出力信号ＭＢＢＳは、更に処理が加えられてパワー増幅器２８２に供給されるか、もしくは直接パワー増幅器２８２に供給される。パワー増幅器２８２から出力される信号は、順次、フィルタ２２、ＲＦスイッチ、及びアンテナ２１に供給され、アンテナが送信信号を発射する。送信ＲＦ信号パワー検出装置（もしくは送信信号強度検出器と称する）がＴＳＳ（送信信号強度）レベルを検出する。
【００１４】
言いかえれば、この発明によるパーソナルコミュニケーションデバイス２はＲＦ送信機（ＴＸ）２８と、ＴＳＳ検出器２６と、ディジタル／制御装置２５と、インジケーター２９と、及び電池（図示しない）などを有する。ＲＦ送信機（ＴＸ）２８は、ＰＳ（パワー増幅器）２８２と、ミキサー２８４と、モジュレーター２８８と、周波数シンセサイザー２８６（もしくはローカルオシレーターと称する）を含む。
【００１５】
ベースバンド信号ＢＢＳを送信する場合、まず、ベースバンド信号ＢＢＳがモジュレーター２８８に伝送され、ＢＢＳを変調した信号ＭＢＢＳを生成する。ミキサー２８４は、ＢＢＳを変調した信号ＭＢＢＳを受信し、且つ周波数シンセサイザー２８６からキャリア信号ＣＳを受信し、これに応じて両者の信号多重化を実行してセミトランスミッション信号（semi-transmission signal）ＳＴＳを生成する。セミトランスミッション信号ＳＴＳは、さらにパワー増幅器２８２で増幅され、低域通過フィルタ２２により濾波される。最終的に、低域通過フィルタ２２の出力である送信信号ＴＳが、アンテナ２１により送信される。
【００１６】
この発明において、ＴＳＳ検出器２６は低域通過フィルタ２２とパワー増幅器２８２との間に配置されるポイントａに接続される。送信信号ＴＳがアンテナ２１から送信される時、ＴＳＳ検出器２６は、パワー増幅器２８２から送信ＲＦ信号パワーを検出し、それに相当するように、パワー増幅器からの送信ＲＦ信号パワーを示すＴＳＳレベル信号ＴＳＳ１を生成する。ＴＳＳ１は、制御装置２５に送信される。最終的に、制御装置は、インジケーター（もしくは表示手段と称する）２９を制御し、ＴＳＳＩ（送信信号強度表示）を表示する。ＴＳＳＩは、パーソナルコミュニケーションデバイス２の送信ＲＦ信号パワー強度も表す。
【００１７】
本来は、ＴＳＳ検出器が検出するのは電圧信号ＴＳＳ１である。図４に示すような送信電圧と送信機の送信ＲＦ信号パワーとの関係の関数によって、我々は送信パワー値を得ることができる。即ち、次式によってＴＳＳ値をｄＢｍ値に変換することができる。
【００１８】
パワーｄＢｍ＝１０ｌｏｇ［送信パワー÷１ｍＷａｔｔ］    式（１）
【００１９】（削除）
【００２０】（削除）
【００２１】
そのＴＳＳ検出器２６は、ダイオードに接続されて送信機の無線信号のＴＳＳを検出するＲＣ発振回路を有する。
【００２２】
そのインジケーター２９は、ＴＳＳを表示するディスプレイか、音または声でＴＳＳを示すスピーカーか、振動によってＴＳＳを示すバイブレーターか、もしくは匂いによってＴＳＳを示す匂い発生装置であってもよい。
【００２３】
図３は、この発明による送信ＲＦ信号パワー強度表示回路を具えたパーソナルコミュニケーションデバイスの第二の実施例に係るブロック図である。送信信号強度ＴＳＳは、ＲＦ信号のパワーを直接検出することのみならず、図３に示すようにＰＡ（パワー増幅器３８２）のＤＣ電流消費を検出することによっても得られる。
【００２４】
送信セクション３８は、一般的には図３に示すようにも知られており、モジュレーター３８８と、パワー増幅器３８２と、送信ＲＦ信号パワー検出装置３６とを含む。送信されるベースバンド信号ＢＢＳは変調セクション３８８で変調され、変調セクションの出力信号ＭＢＢＳは、更に処理されてパワー増幅器３８２に供給されるか、もしくは直接パワー増幅器３８２に供給される。パワー増幅器から出力する信号は、フィルタ３２に供給され、その出力は送信信号を発射するためにアンテナ３１に伝送される。送信ＲＦ信号パワー検出器（もしくは送信信号強度検出器と称する）は、ＴＳＳ（送信信号強度）レベルを検出するために用いられる。
【００２５】
送信信号強度が検出されると、検出結果ＴＳＳ２がコントローラ３５に伝送される。コントローラ３５はＴＳＳの状態をＬＣＤか、もしくはＬＥＤで表示し、また、音、振動、発光、もしくは声などの形態にユーザーがプログラム化可能な警告信号をパーソナルコミュニケーションデバイスのユーザーに発する。パーソナルコミュニケーションデバイスがいつ警告信号を発するかということも、ユーザーがプログラム化可能である。
【００２６】
ＴＳＳ状態に係る情報によって、パーソナルコミュニケーションデバイスのユーザーは、パーソナルコミュニケーションデバイスの位置を調整するか、通信を行う場所を変更して、人体組織が吸収するパーソナルコミュニケーションデバイスの輻射ＲＦ信号パワーを低減させることができ、また通話時間を短縮してＲＦ信号輻射にさらされる時間を減少させることができる。
【００２７】
第二の実施例は、ＴＳＳ検出装置３６を除き第一の実施例と同様である。
無線周波数送信パワー検出装置３６は、パワー増幅器３８２に接続し、送信機３８のパワー増幅器３８２の直流オフセットを検出し、検出した結果をコントローラ３５に出力する。
【００２８】
図３に開示するように、ＴＳＳ検出器３６は、電源Ｖｃｃとパワー増幅器３８２の間に直列に接続された抵抗ＲＬを具える。パワー増幅器３８２に供給される電流Ｉｃは、抵抗ＲＬを流れる。パワー増幅器３８２のＴＳＳが大きくなればなるほど、より多くの供給電流をパワー増幅器３８２が必要とすることは知られている。言いかえると、電流ＩＣ  がパワー増幅器３８２のＴＳＳを示している。電流Ｉｃの大きさは、抵抗Ｒｌの両端（ｄとｅ）の間の電圧差により検出することができる。この電圧差は、接続された演算増幅器３６２により検出され、増幅され、送信信号強度２（ＴＳＳ２）としてコントローラ３５に出力される。
【００２９】  削除
【００３０】  削除
【００３１】  削除
【００３２】
その表示手段は、ＴＳＳを表示するディスプレイか、音または声でＴＳＳを示すスピーカーか、振動によってＴＳＳを示すバイブレーターか、もしくは匂いによってＴＳＳを示す匂い発生装置であってもよい。
【００３３】
図６は、この発明の第三の実施例における送信ＲＦ信号パワー強度を表示する動作のフローチャートである。これは、送信機の送信ＲＦ信号パワー強度の状態を表示し、ＰＣＤユーザーに高いＲＦ信号放射について警告する方法を提供する。この方法は、以下のステップを含んでなる。
【００３４】
（ａ） 符号６０２に開示するように、送信ＲＦ信号パワー強度の警告レベルを、例えばｄＢｍを単位としてプリセットする。一般的に、ＧＳＭタイプの送信機は−５〜３３ｄＢｍのパワーの範囲でＲＦ信号輻射を発する。図５は、本発明の第３の実施例の送信ＲＦ信号パワー強度の警告レベルの設定のグラフである。この実施例において、プリセット警告レベルとして、１０ｄＢｍをセットする。
（ｂ） 符号６０４に開示するように、ＴＳＳレベルを検出する。
（ｃ） 符号６０６に開示するように、ＴＳＳレベルが警告レベルよりも大きければ（ｄ）のステップを実行し、さもなければ（ｂ）のステップに戻る。
（ｄ） 符号６０８に開示するように、ＴＳＳレベルを表示器に出力する。
【００３５】
この発明は携帯電話機のみに適用されるものではなく、その他パーソナルコミュニケーションデバイスにおいてもＴＳＳを表示するために使用されてもよい。
【００３６】
以上はこの発明の好ましい実施例であって、この発明の実施の範囲を限定するものではない。それどころか、技術的に同様の技術を用いていることが明らかであるような修正や改変をも含むイとである。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３７】
【図１】  従来の技術によるパーソナルコミュニケーションデバイスの構造を示したブロック図である。
【図２】  本発明の第１の実施例の送信ＲＦ信号パワー強度表示回路を具えたパーソナルコミュニケーションデバイスの構造を示したブロック図である。
【図３】  本発明の第２の実施例による通信ＲＦ信号パワー強度表示回路を具えたパーソナルコミュニケーションデバイスの構造を示したブロック図である。
【図４】  ＴＳＳレベルと送信ＲＦ信号パワー強度との間の関係を示すグラフである。
【図５】  本発明の第３の実施例の送信ＲＦ信号パワー強度の警告レベルの設定を示すグラフである。
【図６】  本発明の第３の実施例の送信ＲＦ信号パワー強度の表示の動作を示したフローチャートである。
【国際調査報告】
2005536156.tif 000009
2005536156.tif 000010